(57)【要約】【課題】本発明は、未使用状態の複数の椅子を狭い場所に効率的に収納したり、これらの複数の椅子を安全に移動することができるように複数の椅子を上下に積重ね可能とした椅子に関するものであり、積重ねた椅子が移動運搬時等に左右方向や前後方向に移動しない積重ね可能な椅子を提供せんとする。【解決手段】上下に積重ねた複数の椅子のうち上方側に位置する椅子が、下方側に位置する椅子の座板に対し少なくとも左右及び前方向に移動しないように上方側に位置する椅子の座板下面か脚体の下面に緩衝体を取付けたことを特徴とし、特に緩衝体の下方を略Ｌ型形状としたことで、簡単に確実に移動を阻止でき、しかも安価に製作できる。【選択図】        図２
2004180907.tif 000002
【特許請求の範囲】
【請求項１】
背板と座板及び脚本体とからなり上下方向に積重ね可能とした椅子であって、上下に積重ねた複数の椅子のうち上方側に位置する椅子が、下方側に位置する椅子の座板に対し少なくとも左右及び前方向に移動しないように上方側に位置する椅子の座板下面か脚本体の下面に緩衝体を取付けたことを特徴とする積重ね可能とした椅子。
【請求項２】
前記脚本体は、水平杆と該水平杆の左右両端から垂下した垂直杆にて形成した正面視略門型の前脚体と、該前脚体と略同形の後脚体の該水平杆同士を単又は複数の連結杆で連結して構成し、該前脚体と後脚体のうち少なくとも一方の水平杆を該水平杆の左右両端の垂直杆が座板の間口幅より外側に位置するように取付け、該前脚体と後脚体の水平杆のそれぞれの下面に前記緩衝体を適宜間隔を設けて少なくとも２個以上着脱自在に取付け、該前脚体と後脚体のうち少なくとも一方側の水平杆の下面に取付けた緩衝体は側面視略Ｌ型形状とし、適宜間隔を設けて取付けた該略Ｌ型形状の緩衝体の側接当面どうしが下方側に位置する椅子の座板の両側端面を挟み込むように接当させたことを特徴とする請求項１に記載の積重ね可能とした椅子。
【請求項３】
前記座板は平面視形状において背板から座板前端面に向かい幅寸法が除々に広がる略台形状となったことを特徴とする請求項１又は２に記載の積重ね可能とした椅子。
【請求項４】
前記座板の上面に、座板前端面と左右座板側端面から略同寸法内側寄りに平面視形状が座板と略同一の座クッション体を着脱自在に取付けたことを特徴とする請求項１〜３何れか１項に記載の積重ね可能とした椅子。
【発明の詳細な説明】
【０００１】
【発明が属する技術分野】
本発明は、未使用状態の椅子を狭い場所に効率的に収納したり、同時に多数の椅子を移動することができるように、複数の椅子を上下に積重ね可能とした椅子に関するものである。
【０００２】
【従来の技術】
従来の積重ね椅子として特許文献１では、脚体は断面円形の棒材を側面視で略コの字状に折り曲げて形成したものを座板の左右に配置して構成している。詳しくは該脚体の上方水平杆の前後両端から前脚と後脚を正面視からみて後脚が前脚より外側に位置するように段差を設けて垂下し、そしてその上方水平杆の間に座板を取付け、該上方水平杆の下面に前後２個のプラスチック等の緩衝材が位置するように取付け、該緩衝材の下面が水平杆の断面アールに沿ったアール形状となっており、上下に椅子を積重ねたときに、上方の椅子が左右にずれない構成となっている。
【０００３】
又特許文献２では、脚体は断面円形のパイプ材を側面視台形状に折り曲げて形成したものを座板の左右に配置して構成している。詳しくは該脚体の連結杆部の前後両端から前脚と後脚を垂下し、該連結杆部より下方位置で前脚と後脚間に連結杆部と平行に横杆を取付け固定しており、該横杆の下面にゴム等の緩衝材を取付け、該緩衝材の下面が連結杆部の断面アールに合致するアール形状となっており、上下に椅子を積重ねたときに、上方の椅子が左右にずれない構成となっている。
【０００４】
しかし、特許文献１のものでは、上下に椅子を積重ねたときに上方の椅子はその緩衝材の下面形状が水平杆の形状に沿ったアール形状であり、下方の椅子に対し左右にずれないが、前方向には自由に移動するようになっている。そのため積重ね状態で移動させるときに床の凹凸に対し椅子がずれたり、場合によって倒れたりする危険があった。
【０００５】
又特許文献２のものでは、特許文献１と同様に、上方の椅子が下方の椅子に対し左右にはずれないが前方向には移動するようになっており移動時に危険性がともない、又上下に椅子を積重ねた場合上方の椅子と下方の椅子に大きな間隔が必要となり積重ねられる椅子の台数が制限されるという問題もあった。
【０００６】
【特許文献１】実公昭５８−４０９１９
【０００７】
【特許文献１】実公昭４５−１６１２５
【０００８】
【発明が解決しようとする課題】
そこで、前述の問題点に鑑み、本発明が解決しようとする課題は、複数の椅子を上下に積重ねた場合、上方の椅子が下方の椅子に対して確実に移動しないよう簡単で安価に構成できる積重ね可能とした椅子を提供する点にある。
【０００９】
【課題を解決するための手段】
前述の課題解決のために、背板と座板及び脚本体とからなり上下方向に積重ね可能とした椅子であって、上下に積重ねた複数の椅子のうち上方側に位置する椅子が、下方側に位置する椅子の座板に対し少なくとも左右及び前方向に移動しないように上方側に位置する椅子の座板下面か脚本体の下面に緩衝体を取付けた積重ね可能とした椅子を構成した。
【００１０】
ここで、脚本体は、水平杆と該水平杆の左右両端から垂下した垂直杆にて形成した正面視略門型の前脚体と、該前脚体と略同形の後脚体の該水平杆どうしを単又は複数の連結杆で連結して構成し、前脚体と後脚体のうち少なくとも一方の水平杆を該水平杆の左右両端の垂直杆が座板の間口幅より外側に位置するように取付け、該前脚体と後脚体の水平杆のそれぞれの下面に前記緩衝体を適宜間隔を設けて少なくとも２個以上着脱自在に固定し、該前脚体と後脚体のうち少なくとも一方側の水平杆の下面に取付けた緩衝体は側面視略Ｌ型形状とし、適宜間隔を設けて取付けた該略Ｌ型形状の緩衝体の側接当面どうしが下方側に位置する椅子の座板の両側端面を挟み込むように接当させたことを特徴とするのである。
【００１１】
また、座板は平面視形状において背板から座板前端面に向かい座板幅寸法が除々に広がる略台形状となることが好ましい。
【００１２】
また、座板の上面に、座板前端面と左右座板側端面から略同寸法内側寄りに平面視形状が座板と略同一の座クッション体を着脱自在に取付けることも好ましい。
【００１３】
【発明の実施の形態】
次に、本発明の実施形態を図面に基づいて説明する。
【００１４】
図１は本発明装置の第１実施例の上方からの斜視図、図２は本発明装置の第１実施例の下方からの斜視図、図３は本発明装置の第１実施例の積重ね状態を示す一部省略斜視図、図４は本発明装置の第１実施例の積重ね状態を示す側面図、図５は図４のＡ−Ａ線矢視図、図６は図４の底面図、図７は本発明装置の第２実施例を示す上方からの斜視図、図８（ａ）は緩衝体の正面図、図８（ｂ）は緩衝体の右側面図である。
【００１５】
第一実施例では、図１及び図２に示すように、１は椅子の座板を、２は椅子の背板を表し本実施例では座板と背板が一体に形成されて座本体Ａを構成している。そして座板１と背板２には座クッション体１０と背クッション体１１が着脱自在に取付けてある。座板１の底面には、門型形状の前脚体３と略同形の後脚体４を２本の連結体７、７にて溶接又はビス等にて固定して脚本体Ｂを構成しこの脚本体Ｂを座板１の底面にビス等の締結方法で固定している。さらに座板１の下面（本実施例では、前後の脚体の水平杆５の下面）には、上下に椅子を積重ねたときに上下の椅子が移動しないように樹脂又はゴム製の緩衝体８、９をビス等にて固定している。ここで座板１及び背板２は木製（合板、パーチクルボード、中質繊維板、天然木等）、金属製（アルミ、ステンレス、チタン等）又は樹脂製（アクリル板、オレフィン系素材等）の板材料を熱成型加工し（素材そのもの又は塗装を施したもの）たものであるが、本発明の形状を実現できるなら特にどのような加工方法、材料であっても可能である。又本発明では、座本体Ａが座板１と背板２を一体に成型したものであったが、座板１と背板２を別体で形成しそれらをパイプ材等別部材で連結して座本体Ａを構成してもよいことはもちろんである。又座及び背のクッション体としては、表面材としてクロスやレザー等を使用し、クッション材として発泡の樹脂や不織布等を使用しているが特にこれらに限定するものでないのはもちろんである。
【００１６】
更に詳しく図１〜図６に基づき各部を説明する。前記座本体Ａは座板１と背板２からなり、座板１は図１に示すように座板上面１０４と座板底面１０３と座板側端面１０２、１０２と座板前端面１０１とからなり図６に示すように平面視背板２から座板前端面１０１側に向かい左右座板側端面１０２、１０２の幅寸法が徐々に広がる略台形状となっている。そして本実施例では、座板１の上面に座板前端面１０１と左右座板側端面１０２、１０２から略同寸法内側寄りに平面視形状が座板１と略同一形状の座クッション体１０をビスや接着剤や面ファスナー等にて固定している。同様に背板２は背板表面２０３と背板裏面２０４と背板上端面２０１と背板側端面２０２、２０２とからなり正面視座板１から背板上端面２０１に向かい背板側端面２０２、２０２の幅寸法が徐々に広がる略逆台形状になっており、背板２の表面の上半分に背板上端面２０１と左右背板側端面２０２、２０２から略同寸法内側寄りに背クッション体１１を座板１と同様の方法で固定している。又背板１の上面に近接した位置には三日月型の貫通穴があり、取っ手として使用するようになっている。
【００１７】
前記脚本体Ｂは、図２に示すように略門型の前脚体３と略同形状の後脚体４を複数の連結体７にて溶接又はビス等にて固定して構成している。前脚体３は水平杆５と該水平杆５の両端部から略直角に垂直杆６を垂下し先端部に樹脂等のキャップを取付けている。又後脚体４も前脚体３と同様の構成となっている。そして前脚体３と後脚体４はそれぞれの水平杆５の２箇所に連結体７が平行になるように溶接又はビス等にて固定しているが、前脚体３と後脚体４が強固に固定できれば２本以上の連結体７でも、幅の広い連結体を１本で固定してもよい。
【００１８】
前記緩衝体８は、図８（ａ）、図８（ｂ）に示すように下方部に正面視略Ｌ型形状の段差部８０を形成しその段差部８０は座板１の座板側端面１０２、１０２に接当する側接当面８０２と座板上面１０４に接当する座接当面８０１からなる。又上方部には半円形の窪み部として上接当面８０３が形成されている。そして図２、図３に示すように緩衝体８は後脚体４の水平杆５の左右両端に上方部の半円形の上接当面８０３を水平杆５の下方外周部に沿わせ、下方部の略Ｌ型形状の段差部８０を互いに対面する方向に向けて座接当面８０１側からビス等にて固定する。又緩衝体９は緩衝体８における下方部の段差部８０がないものであり、外形寸法は高さ部分のみ段差部８０の寸法を差引いた寸法となったものである。
【００１９】
次に前記座本体Ａと前記脚本体Ｂの取付け方法について説明すると、図２に示すように座板１の座板底面１０３に脚本体Ｂの前記前脚体と後脚体の水平杆５および連結体７を接当し、水平杆５と連結体７の一方又は両方に設けた複数の貫通穴を通じ座板１の座板底板１０３に直接又は座板１に埋め込みナット等を設けてビス等にて固定している。そして脚本体Ｂの前脚体３及び後脚体４は水平杆５の幅寸法は座板１の左右座板側端面１０２、１０２間より幅が広くなっており、両垂直杆６が座板１の左右座側端面１０２、１０２間の外側に位置するようになっている。又後脚体４の水平杆５に取付けた左右の緩衝体８は座板１の左右座側端面１０２、１０２に緩衝体８の側接当面８０２がほぼ接当する位置に取付け、前脚体３の水平杆５に取付けた左右の緩衝体９は座板１の左右座側端面１０２、１０２間より内側に位置させて取付けている。
【００２０】
これらの椅子を上下方向に積重ねるには、下方の椅子の座板１の座板上面１０４に対し上方の椅子の座板底面１０３に取付けた前脚体３と後脚体４の左右垂直杆６が跨ぐように載せるのである。このとき下方の椅子の背板２の背板表面２０３に上方の椅子の背板２の背板裏面２０４が接当し、上方の椅子が下方の椅子に対し後方向に移動することはない。そして上方の椅子の座板１の座板底面１０３に配置固定した前脚体３の水平杆５に固定した２箇所の緩衝体９が下方の椅子の座板上面１０４の座板前端面１０１よりに位置するように載るとともに、後脚体の水平杆５に固定した左右２箇所の緩衝体８は該緩衝体８下方の段差部８０を互いに対抗する向きに固定され、該段差部８０における座接当面８０１と側接当面８０２が下方の椅子の座板１の左右の座板側端面１０２と座板上面１０４に接当し挟み込むように配置し、上方の椅子が下方の椅子に対し左右に移動できない構成となっている。そして該座板１の平面視形状が背板２から座板前端面１０１に向かい座板幅寸法が除々に広がる略台形状となっているので上方の椅子の後脚体４の水平杆５に固定した緩衝体８の段差部８０が下方の椅子の左右の座板側端面１０２、１０２に接当しているため上方の椅子が下方の椅子に対し前方に移動することもない。そして座板１の座板上面１０４に取付けた座クッション体１０は緩衝体８、９が位置する座板上面１０４より内方側に位置しており、該緩衝体８、９の高さ寸法を変更すれば座クッション体１０の厚みを自由に変えることも可能である。本実施例において座板１の底面に直接緩衝体８、９を取付けることや、緩衝体９を２箇所以上に取付けることも可能である。
【００２１】
図７は本発明装置の第２実施例である、本発明では、座板１の一方の座板側端面１０２又は左右の座板側端面１０２、１０２に単又は複数の座板切欠き部１２を設け、前記左右２箇所の緩衝体８の下方の段差部８０を互いに対抗する向きに前脚体３と後脚体４の水平杆５の一方又は両方に取付け、該段差部８０における底接当面８０１が座板１の座板上面１０４に接当し側接当面８０２が下方の椅子の座板１の一方側又は左右の座板側端面１０２の座板切欠き部１２に嵌入後、座板切欠き側端面１２ａに接当して座板１を挟み込むように配置し、上方の椅子が下方の椅子に対し左右及び前後に移動できない構成となっている。そして座クッション体１０に対しても第１実施例と同様自由に厚みの変更が可能であるとともに、座板１の底面に緩衝体８、９を直接取付けることや、緩衝体９を２箇所以上取付けることも可能である。そして本実施例の場合、座板１の平面視形状は背板２から座板前端面１０１に向かい座板幅寸法が除々に広がる略台形状に限らず、座板幅が同寸の長方形状（又は矩形状）や背板２から除々に座板幅が狭くなる形状であっても構わない。
【００２２】
【発明の効果】
以上に詳述したように、請求項１に記載の積重ね可能とした椅子は背板と座板及び脚本体とからなり上下方向に積重ね可能とした椅子であって、上下に積重ねた複数の椅子のうち上方側に位置する椅子が、下方側に位置する椅子の座板に対し少なくとも左右及び前方向に移動しないように上方側に位置する椅子の座板下面か脚体の下面に緩衝体を取付けたことを特徴としたのであって、上下方向に少ない間隔で椅子を積重ねることができるので狭いスペースにより多くの椅子を積重ねることができるとともに、これら積重ねた椅子を移動する際にし、積重ねた椅子が左右及び前後方向に移動しないので移動中に床の凹凸に対し不意のがたつき生じても椅子がずれたり倒れたりする危険性がない。
【００２３】
又請求項２に記載の積重ね可能とした椅子は請求項１に記載の積重ね可能とした椅子において、前記脚本体は、水平杆と該水平杆の左右両端から垂下した垂直杆にて形成した正面視略門型の前脚体と、該前脚体と略同形の後脚体の該水平杆同士を単又は複数の連結杆で連結して構成し、該前脚体と後脚体のうち少なくとも一方の水平杆を該水平杆の左右両端の垂直杆が座板の間口幅より外側に位置するように取付け、該前脚体と後脚体の水平杆のそれぞれの下面に前記緩衝体を適宜間隔を設けて少なくとも２個以上着脱自在に固定し、該前脚体と後脚体のうち少なくとも一方側の水平杆の下面に取付けた緩衝体は側面視略Ｌ型形状とし、適宜間隔を設けて取付けた該略Ｌ型形状の緩衝体の側接当面同士が下方側に位置する椅子の座板の両側端面を挟み込むように接当させたことを特徴としたものであって、請求項１記載の発明に加えて、緩衝体の形状をＬ型形状とすることで積重ねた椅子が左右及び前後に移動しない構成としたので、簡単な構造で確実にしかも安価に実現できるのである。
【００２４】
又請求項３に記載の積重ね可能とした椅子は請求項１又は請求項２に記載の積重ね可能とした椅子において、前記座板は平面視形状において背板から座板前端面に向かい幅寸法が除々に広がる略台形状となったことを特徴としたものであって、請求項１又は２に記載の発明に加えて座板の平面視形状を略台形状にすることで前方向の移動を確実に阻止できるので、座板に対し別途当止部材や加工を追加せずに確実に簡単にしかも安価に実現できる。
【００２５】
又請求項４に記載の積重ね可能とした椅子は請求項１〜３何れか１項に記載の積重ね可能とした椅子において、前記座板の上面に、座板の前端面と左右側端面から略同寸法内側寄りに平面視形状が座板と略同一の座クッション体を着脱自在に取付けたことを特徴としたものであって、座板の上面に別途座クッション体を取付けても椅子の積重ね方法に変更はなく、座クッション体を取付けた椅子と取付けていない椅子を積重ねることも可能である。又座クッション体の厚みを変更しても（例えば２倍の厚さ）緩衝体の高さ寸法を高くすることで椅子の積重ねが可能であり、種々の椅子に対応することができるのである。
【図面の簡単な説明】
【図１】本発明装置の第１実施例の斜め上方からの斜視図。
【図２】本発明装置の第１実施例の斜め下方からの斜視図。
【図３】本発明装置の第１実施例の積重ね状態を示す一部省略斜視図。
【図４】本発明装置の第１実施例の積重ね状態を示す側面図。
【図５】図４のＡ−Ａ線矢視図。
【図６】図４の底面図。
【図７】第２実施例を示す上方からの斜視図。
【図８】（ａ）は緩衝体の正面図、（ｂ）は緩衝体の右側面図である。
【符号の説明】
Ａ                    座本体
Ｂ                    脚本体
１                                  座板
１０１                  座板前端面
１０２                  座板側端面
１０３                  座板底面
１０４                座板上面
２                    背板
２０１                  背板上端面
２０２                背板側端面
２０３                背板表面
２０４                背板裏面
３                              前脚体
４                              後脚体
５                    水平杆
６                    垂直杆
６ａ                    キャップ
７                    連結体
８                      緩衝体
８０                  段差部
８０１                座接当面
８０２                側接当面
８０３                上接当面
９                    緩衝体
１０                  座クッション体
１１                    背クッション体
１２                  座板切欠き部
１２ａ                                座板切欠き側端面
【図１】
2004180907.tif 000003
【図２】
2004180907.tif 000004
【図３】
2004180907.tif 000005
【図４】
2004180907.tif 000006
【図５】
2004180907.tif 000007
【図６】
2004180907.tif 000008
【図７】
2004180907.tif 000009
【図８】
2004180907.tif 000010